【手続補正書】
【提出日】令和2年6月26日(2020.6.26)
【手続補正１】
【補正対象書類名】特許請求の範囲
【補正対象項目名】全文
【補正方法】変更
【補正の内容】
【特許請求の範囲】
【請求項１】
遊技を行う遊技機であって、
電気部品に用いられる電源を生成する電源生成回路が設けられた電源基板を有し、
前記電源基板は、
元電源を入力する入力部と、
前記入力部による元電源の入力のオンオフを切り替える電源スイッチと、
前記電源生成回路が設けられた電源生成領域と、を備え、
前記入力部と前記電源スイッチを接続する配線は、前記電源生成領域の外側であって、前記電源基板の一辺に沿って設けられており、
前記入力部と前記電源スイッチとを結ぶ直線上に、前記電源生成領域が配置されており、
前記入力部と前記電源生成領域の間に前記電源生成回路に接続されるコンデンサが配置されていることを特徴とする遊技機。
【手続補正２】
【補正対象書類名】明細書
【補正対象項目名】０００４
【補正方法】変更
【補正の内容】
【０００４】
上記特許文献１に開示された遊技機では、電源基板に対する電源生成回路の搭載にあたり、各電気部品の配置に対する考慮が少なかった。このため、意図しないノイズを発生させる虞があった。
【手続補正３】
【補正対象書類名】明細書
【補正対象項目名】０００５
【補正方法】変更
【補正の内容】
【０００５】
本発明の課題は、ノイズの影響を小さくできる遊技機を提供することである。
【手続補正４】
【補正対象書類名】明細書
【補正対象項目名】０００６
【補正方法】変更
【補正の内容】
【０００６】
（Ａ）遊技を行う遊技機であって、
電気部品に用いられる電源を生成する電源生成回路が設けられた電源基板を有し、
前記電源基板は、
元電源を入力する入力部と、
前記入力部による元電源の入力のオンオフを切り替える電源スイッチと、
前記電源生成回路が設けられた電源生成領域と、を備え、
前記入力部と前記電源スイッチを接続する配線は、前記電源生成領域の外側であって、前記電源基板の一辺に沿って設けられており、
前記入力部と前記電源スイッチとを結ぶ直線上に、前記電源生成領域が配置されており、
前記入力部と前記電源生成領域の間に前記電源生成回路に接続されるコンデンサが配置されていることを特徴とする遊技機。
（１）遊技を行う遊技機（例えば、パチンコ遊技機１、スロットマシン２０１等）であって、電気部品（例えば、リール２０２Ｌ、２０２Ｃ、２０２Ｒ、ホッパーモータ２３４ｂ等）に用いられる電源を生成する電源生成回路（例えば、第１ショットキーバリアダイオードＳＤ５１、第１集積回路ＩＣ５１〜第４集積回路ＩＣ５４等）が設けられ、２以上の辺を有する形状（例えば、略正方形状）に形成された電源基板（例えば、電源基板３０１等）を有し、前記電源基板は、元電源（例えば、交流電源ＡＣ等）を入力する入力部（例えば、電源入力部３６０８等）が設けられた入力領域（例えば、入力領域Ｙ１）と、前記入力部による元電源の入力のオンオフを切り替える電源スイッチ（例えば、電源スイッチＳＷ５１等）と、前記電源生成回路が設けられた電源生成領域（例えば、整流領域Ｙ２及び変圧領域Ｙ３等）と、を備え、前記入力部と前記電源スイッチを接続する配線（例えば、配線２０００等）は、前記電源生成領域の外側を通って設けられていることを特徴とする（例えば、配線２０００は、基材３０１Ａにおいて、整流領域Ｙ２及び変圧領域Ｙ３の外側を通って引き回されている等）。
【手続補正５】
【補正対象書類名】明細書
【補正対象項目名】００２０
【補正方法】変更
【補正の内容】
【００２０】
パチンコ遊技機１は、大別して、遊技盤面を構成する遊技盤２と、遊技盤２を支持固定
する遊技機用枠（「遊技枠」とも言う。）３とを備える。本実施形態では、遊技盤２は、
機種によって異なる機種固有のユニットであり、遊技機用枠３に着脱可能に取り付けられ
る。また、遊技機用枠３は、遊技盤２の機種にかかわりなく、異なる機種の遊技盤で共通
に用いられる機種共通のユニットである。図２を参照すると、遊技機用枠３は、遊技盤２
を着脱可能に収容する収容部を有する縦長の方形枠状の台枠と、台枠の左側部前面側に、
上下方向に沿って延びる軸線を軸中心として開閉可能に設けられたガラス扉及び下扉と、
を備えている。遊技盤２は、台枠に前方から収容された状態で、ガラス扉によって前方か
ら覆われる。ガラス扉には、遊技盤２に形成される遊技領域を前方から視認可能とする略
円形状の透視窓が設けられている。
【手続補正６】
【補正対象書類名】明細書
【補正対象項目名】００５７
【補正方法】変更
【補正の内容】
【００５７】
警告音の一例は、遊技球が下皿に過剰に保持されているときに出力される警告音、ガラ
ス扉（図２参照）が開放しているときに出力される警告音等である。
【手続補正７】
【補正対象書類名】明細書
【補正対象項目名】０１０３
【補正方法】変更
【補正の内容】
【０１０３】
主基板１１には、ゲートスイッチ２１、第１始動口スイッチ２２Ａ、第２始動口スイッ
チ２２Ｂ、カウントスイッチ２３からの検出信号を伝送する配線が接続されている。ゲー
トスイッチ２１、第１始動口スイッチ２２Ａ、第２始動口スイッチ２２Ｂ、カウントスイ
ッチ２３は、例えば、センサと称されるもの等のように、遊技媒体としての遊技球を検出
できる任意の構成を有するものであればよい。なお、パチンコ遊技機１は、ゲートスイッ
チ２１、第１始動口スイッチ２２Ａ、第２始動口スイッチ２２Ｂ、カウントスイッチ２３
に加え、同様に主基板１１に接続する他のスイッチ（例えば、図２に示すガラス扉の開閉
状態を検知するスイッチ、遊技盤２自体の開閉状態を検知するスイッチ、不正な振動を検
知するためのスイッチ、不正な電磁波を検知するためのスイッチ）を備えていてもよい。
また、主基板１１には、第１特別図柄表示装置４Ａ、第２特別図柄表示装置４Ｂ、普通図
柄表示器２０、第１保留表示器２５Ａ、第２保留表示器２５Ｂ、普図保留表示器２５Ｃ等
の表示制御を行うための指令信号を伝送する配線が接続されている。
【手続補正８】
【補正対象書類名】明細書
【補正対象項目名】０１３８
【補正方法】変更
【補正の内容】
【０１３８】
図５〜図９に、第１実施形態に係るパチンコ遊技機１の電源基板１６に備えられた電源
部１６００の詳細構成を示す。図５に示すように、電源入力部１６０８は、入力端子ＣＮ
１、電源スイッチＳＷ１、ヒューズＦ４、ツェナダイオード（サージアブソーバ）ＶＲＤ
１、第１コンデンサＣ１、サーミスタＴＨ１、コモンモードチョークコイルＣＬ１、リレ
ーＲＬ１、第２コンデンサＣ２、第３０コンデンサＣ３０、第３１コンデンサＣ３１、第
１０抵抗Ｒ１０〜第１４抵抗Ｒ１４、第３ダイオードＤ３、第４ダイオードＤ４、第２２
コンデンサＣ２２、及び第２トランジスタＱ２を備えている。
【手続補正９】
【補正対象書類名】明細書
【補正対象項目名】０１３９
【補正方法】変更
【補正の内容】
【０１３９】
入力端子ＣＮ１は、第１スロットＣＮ１１及び第２スロットＣＮ１２を備えており、第
１スロットＣＮ１１と第２スロットＣＮ１２には、図４に示す交流電源ＡＣが接続される
。電源スイッチＳＷ１は、スイッチＳ１とスイッチＳ２から構成され、スイッチＳ１の一
端には第１スロットＣＮ１１が接続され、スイッチＳ２の一端には第２スロットＣＮ１２
が接続されている。スイッチＳ１の他端は、コモンモードチョークコイルＣＬ１の第１コ
イルＬ１の一端に接続され、スイッチＳ２の他端はヒューズＦ４の一端に接続されている
。ヒューズＦ４の他端はサーミスタＴＨ１を介してコモンモードチョークコイルＣＬ１の
第２コイルＬ２の一端に接続されている。スイッチＳ１の他端とヒューズＦ４の他端には
、ツェナダイオードＶＲＤ１と第１コンデンサＣ１とが並列接続されている。コモンモー
ドチョークコイルＣＬ１の第１コイルＬ１の他端と第２コイルＬ２の他端には第２コンデ
ンサＣ２が接続されている。また、第１コイルＬ１の他端には第３０コンデンサＣ３０を
介して第６出力端子ＣＮ６が接続され、第２コイルＬ２の他端には、第３１コンデンサＣ
３１を介して第６出力端子ＣＮ６が接続されている。また、サーミスタＴＨ１に対して並
列にリレーＲＬ１が設けられている。リレーＲＬ１は、第１０抵抗Ｒ１０〜第１４抵抗Ｒ
１４、第３ダイオードＤ３、第４ダイオードＤ４等を介して第２トランジスタＱ２に接続
されている。
【手続補正１０】
【補正対象書類名】明細書
【補正対象項目名】０１４２
【補正方法】変更
【補正の内容】
【０１４２】
図４に示すように、第１可変電源部１６１０Ａは、第１可変電源回路１６１０１、第２
可変電源回路１６１０２を備え、第２可変電源部１６１０Ｂは、第３可変電源回路１６１
０３、第４可変電源回路１６１０４を備えている。第１可変電源回路１６１０１は、図６
に示すように、第１集積回路ＩＣ１を備えて構成されている。第１集積回路ＩＣ１の端子
１，２は第１入力ノードＮｉ１に接続されており、第１集積回路ＩＣ１の端子５，６は第
１１出力ノードＮｏ１１に接続され、端子３，４は第１２出力ノードＮｏ１２に接続され
ている。第１可変電源回路１６１０１は、第１全波整流回路１６０９１から出力される２
４Ｖの直流電圧を１２Ｖの直流電圧に変換するＤＣ／ＤＣコンバータとして機能する。第
１入力ノードＮｉ１と第１集積回路ＩＣ１の間の配線には、第３コンデンサＣ３〜第５コ
ンデンサＣ５の一端が接続されている。第１入力ノードＮｉ１と第１２出力ノードＮｏ１
２の間の配線には、第３コンデンサＣ３〜第５コンデンサＣ５の他端が接続されている。
【手続補正１１】
【補正対象書類名】明細書
【補正対象項目名】０１４４
【補正方法】変更
【補正の内容】
【０１４４】
第２可変電源回路１６１０２は、第２集積回路ＩＣ２を備えて構成されている。第２集
積回路ＩＣ２の端子１，２は第１入力ノードＮｉ１に接続されており、第２集積回路ＩＣ
２の端子５，６は第１２出力ノードＮｏ１２に接続され、端子３，４は第１３出力ノード
Ｎｏ１３に接続されている。第２可変電源回路１６１０２は、第１全波整流回路１６０９
１から出力される２４Ｖの直流電圧を５Ｖの直流電圧に変換するＤＣ／ＤＣコンバータと
して機能する。第１入力ノードＮｉ１と第２集積回路ＩＣ２の間の配線には、第６コンデ
ンサＣ６〜第９コンデンサＣ９の一端が接続されている。第２集積回路ＩＣ２と第１３出
力ノードＮｏ１３の間の配線には、第１９コンデンサＣ１９及び第３抵抗Ｒ３の一端が接
続されている。第３抵抗Ｒ３の他端には第３レーザダイオードＬＤ３の一端が接続されて
いる。第１入力ノードＮｉ１と第１２出力ノードＮｏ１２の間の配線には、第６コンデン
サＣ６〜第９コンデンサＣ９の他端が接続されている。第２集積回路ＩＣ２と第１２出力
ノードＮｏ１２の間の配線には、第１９コンデンサＣ１９及び第３レーザダイオードＬＤ
３の他端が接続されている。また、第２集積回路ＩＣ２の出力部と第１２出力ノードＮｏ
１２の間の配線には、クリアスイッチＳＷ２の一端が接続されており、クリアスイッチＳ
Ｗ２の他端は第１４出力ノードＮｏ１４に接続されている。また、第１入力ノードＮｉ１
は、第１５出力ノードＮｏ１５に接続されており、第１入力ノードＮｉ１と第１５出力ノ
ードＮｏ１５の間の配線には第１ヒューズＦ１が設けられている。第１ヒューズＦ１の一
端は第１入力ノードＮｉ１に接続され、他端は第１５出力ノードＮｏ１５に接続されてい
る。
【手続補正１２】
【補正対象書類名】明細書
【補正対象項目名】０１４５
【補正方法】変更
【補正の内容】
【０１４５】
第３可変電源回路１６１０３は、図７に示すように、第３集積回路ＩＣ３を備えて構成
されている。第３集積回路ＩＣ３の端子１は第３入力ノードＮｉ３に接続されており、第
３集積回路ＩＣ３の端子５は第２１出力ノードＮｏ２１に接続され、端子２は第２２出力
ノードＮｏ２２に接続されている。第３可変電源回路１６１０３は、第２全波整流回路１
６０９２から出力される２４Ｖの直流電圧を１２Ｖの直流電圧に変換するＤＣ／ＤＣコン
バータとして機能する。第３入力ノードＮｉ３と第３集積回路ＩＣ３の間の配線には、第
１０コンデンサＣ１０の一端が接続されている。第３集積回路ＩＣ３と第２１出力ノード
Ｎｏ２１の間の配線には、第３ヒューズＦ３が設けられている。第３ヒューズＦ３の一端
は第３集積回路ＩＣ３に接続され、他端は第２１出力ノードＮｏ２１に接続されている。
第３集積回路ＩＣ３と第３ヒューズＦ３の間の配線には、第２０コンデンサＣ２０の一端
が接続され、第３ヒューズＦ３と第２１出力ノードＮｏ２１の間の配線には第５抵抗Ｒ５
の一端が接続されている。第５抵抗Ｒ５の他端には、第５レーザダイオードＬＤ５の一端
が接続されている。第３入力ノードＮｉ３と第２２出力ノードＮｏ２２の間に配線には、
第１０コンデンサＣ１０の他端が接続されている。第３集積回路ＩＣ３と第２２出力ノー
ドＮｏ２２の間に配線には、第２０コンデンサＣ２０及び第５レーザダイオードＬＤ５の
他端が接続されている。
【手続補正１３】
【補正対象書類名】明細書
【補正対象項目名】０１４９
【補正方法】変更
【補正の内容】
【０１４９】
第２７入力ノードＮｉ２７と第５集積回路ＩＣ５の間の配線には、第７抵抗Ｒ７が設け
られている。第７抵抗Ｒ７の一端は第２７入力ノードＮｉ２７に接続され、他端は第５集
積回路ＩＣ５に接続されている。第７抵抗Ｒ７と第５集積回路ＩＣ５の間の配線には、第
８抵抗Ｒ８の他端及び第２８コンデンサＣ２８の一端が接続されている。第２７入力ノー
ドＮｉ２７と第７抵抗Ｒ７の間の配線には第２９コンデンサＣ２９の一端が接続されてい
る。第５集積回路ＩＣ５には、５つの出力部が設けられており、第１出力部には第２５コ
ンデンサＣ２５の一端が接続され、第２出力部には第１トランジスタＱ１が接続されてい
る。
【手続補正１４】
【補正対象書類名】明細書
【補正対象項目名】０１５３
【補正方法】変更
【補正の内容】
【０１５３】
第２出力端子ＣＮ２の第４スロット〜第７スロットには、第１１入力ノードＮｉ１１を
介して、図６に示す第１可変電源部１６１０Ａの第１１出力ノードＮｏ１１が接続されて
いる。第２出力端子ＣＮ２の第４スロット〜第７スロットには、第１可変電源回路１６１
０１の第１集積回路ＩＣ１から直流１２Ｖの出力電圧が供給される。第２出力端子ＣＮ２
の第８スロットには、第１３入力ノードＮｉ１３を介して、図６に示す第１可変電源部１
６１０Ａの第１３出力ノードＮｏ１３が接続されている。第２出力端子ＣＮ２の第８スロ
ットには、第２可変電源回路１６１０２の第２集積回路ＩＣ２から直流５Ｖの出力電圧が
供給される。
【手続補正１５】
【補正対象書類名】明細書
【補正対象項目名】０１５５
【補正方法】変更
【補正の内容】
【０１５５】
第３出力端子ＣＮ３の第５スロットには、第２６入力ノードＮｉ２６を介して、図７に
示す第２可変電源部１６１０Ｂの第２６出力ノードＮｏ２６が接続されている。第３出力
端子ＣＮ３の第５スロットには、第２可変電源部１６１０Ｂの第２ショットキーバリアダ
イオードＳＤ２から交流２４Ｖの平滑化された出力電圧が供給される。第３出力端子ＣＮ
３の第６スロットには、第２１入力ノードＮｉ２１を介して、図７に示す第２可変電源部
１６１０Ｂの第２１出力ノードＮｏ２１が接続されている。第３出力端子ＣＮ３の第６ス
ロットには、第３可変電源回路１６１０３の第３集積回路ＩＣ３から直流１２Ｖの出力電
圧が供給される。第３出力端子ＣＮ３の第７スロット及び第８スロットには、第３３入力
ノードＮｉ３３を介して図８に示す第３３出力ノードＮｏ３３に接続され、さらには、第
２３入力ノードＮｉ２３を介して、図７に示す第２可変電源部１６１０Ｂの第２３出力ノ
ードＮｏ２３が接続されている。第３出力端子ＣＮ３の第７スロット及び第８スロットに
は、第４可変電源回路１６１０４の第４集積回路ＩＣ４から直流５Ｖの出力電圧が供給さ
れる。
【手続補正１６】
【補正対象書類名】明細書
【補正対象項目名】０１５６
【補正方法】変更
【補正の内容】
【０１５６】
第４出力端子ＣＮ４の第１スロット、第２スロット、第１３スロット、及び第１４スロ
ットには、第３２入力ノードＮｉ３２を介して図８に示す電断検知部１６１２の第３２出
力ノードＮｏ３２が接続されている。これらのスロットは、グランドに接続されている。
第４出力端子ＣＮ４の第３スロットには、第２６入力ノードＮｉ２６を介して、図７に示
す第２可変電源部１６１０Ｂの第２６出力ノードＮｏ２６が接続されている。第４出力端
子ＣＮ４の第３スロットには、第２可変電源部１６１０Ｂの第２ショットキーバリアダイ
オードＳＤ２から交流２４Ｖの平滑化された出力電圧が供給される。第４出力端子ＣＮ４
の第４スロットには、第２１入力ノードＮｉ２１を介して、図７に示す第２可変電源部１
６１０Ｂの第２１出力ノードＮｏ２１が接続されている。第４出力端子ＣＮ４の第４スロ
ットには、第３可変電源回路１６１０３の第３集積回路ＩＣ３から直流１２Ｖの出力電圧
が供給される。第４出力端子ＣＮ４の第５スロット及び第６スロットには、第１１入力ノ
ードＮｉ１１を介して、図６に示す第１可変電源部１６１０Ａの第１１出力ノードＮｏ１
１が接続されている。第４出力端子ＣＮ４の第５スロット及び第６スロットには、第１可
変電源回路１６１０１の第１集積回路ＩＣ１から直流１２Ｖの出力電圧が供給される。
【手続補正１７】
【補正対象書類名】明細書
【補正対象項目名】０１５７
【補正方法】変更
【補正の内容】
【０１５７】
第４出力端子ＣＮ４の第７スロット及び第８スロットには、第３３入力ノードＮｉ３３
を介して図８に示す第３３出力ノードＮｏ３３に接続され、さらには、第２３入力ノード
Ｎｉ２３を介して、図７に示す第２可変電源部１６１０Ｂの第２３出力ノードＮｏ２３が
接続されている。第４出力端子ＣＮ４の第７スロット及び第８スロットには、第４可変電
源回路１６１０４の第４集積回路ＩＣ４から直流５Ｖの出力電圧が供給される。第４出力
端子ＣＮ４の第９スロットには、第１３入力ノードＮｉ１３を介して、図６に示す第１可
変電源部１６１０Ａの第１３出力ノードＮｏ１３が接続されている。第４出力端子ＣＮ４
の第９スロットには、第２可変電源回路１６１０２の第２集積回路ＩＣ２から直流５Ｖの
出力電圧が供給される。第４出力端子ＣＮ４の第１０スロットには、第２４入力ノードＮ
ｉ２４を介して、図７に示す第２４出力ノードＮｏ２４が接続されている。第４出力端子
ＣＮ４の第１０スロットには、第４可変電源回路１６１０４の第４集積回路ＩＣ４から直
流５Ｖの出力電圧が供給される。
【手続補正１８】
【補正対象書類名】明細書
【補正対象項目名】０１６０
【補正方法】変更
【補正の内容】
【０１６０】
第５出力端子ＣＮ５の第５スロット〜第１２スロットには、第１１入力ノードＮｉ１１
を介して、図６に示す第１可変電源部１６１０Ａの第１１出力ノードＮｏ１１が接続され
ている。第５出力端子ＣＮ５の第５スロット〜第１２スロットには、第１可変電源回路１
６１０１の第１集積回路ＩＣ１から直流１２Ｖの出力電圧が供給される。第５出力端子Ｃ
Ｎ５の第１３スロット〜第１６スロットには、第１３入力ノードＮｉ１３を介して、図６
に示す第１可変電源部１６１０Ａの第１３出力ノードＮｏ１３が接続されている。第５出
力端子ＣＮ５の第１３スロット〜第１６スロットには、第２可変電源回路１６１０２の第
２集積回路ＩＣ２から直流５Ｖの出力電圧が供給される。
【手続補正１９】
【補正対象書類名】明細書
【補正対象項目名】０１６４
【補正方法】変更
【補正の内容】
【０１６４】
リレーＲＬ１及び第１コンデンサＣ１の右方には、コモンモードチョークコイルＣＬ１
が配置されている。コモンモードチョークコイルＣＬ１の左肩上方には、第４ダイオード
Ｄ４が配置され、第４ダイオードＤ４の右方であってコモンモードチョークコイルＣＬ１
の上方には、第１３抵抗Ｒ１３及び第１４抵抗Ｒ１４が配置されている。第１レーザダイ
オードＬＤ１〜第６レーザダイオードＬＤ６の右方であって第１３抵抗Ｒ１３及び第１４
抵抗Ｒ１４の上方には、第２トランジスタＱ２、第１１抵抗Ｒ１１、第１２抵抗Ｒ１２、
第２２コンデンサＣ２２、及び第３ダイオードＤ３が配置されている。第３ダイオードＤ
３のさらに右方に第２ショットキーバリアダイオードＳＤ２及び第１ショットキーバリア
ダイオードＳＤ１が上下に配置されている。
【手続補正２０】
【補正対象書類名】明細書
【補正対象項目名】０１６５
【補正方法】変更
【補正の内容】
【０１６５】
第１ショットキーバリアダイオードＳＤ１の下方であってコモンモードチョークコイル
ＣＬ１の右側では、第３１コンデンサＣ３１、第２コンデンサＣ２、及び第３０コンデン
サＣ３０が上下に配置されており、第２コンデンサＣ２の右側に第６集積回路ＩＣ６が配
置されている。第６集積回路ＩＣ６の上方には、第２３コンデンサＣ２３が配置され、第
２３コンデンサＣ２３のさらに上方には第１０コンデンサＣ１０が配置されている。第２
３コンデンサＣ２３及び第６集積回路ＩＣ６の右側には、第５トランジスタＱ５、第６ト
ランジスタＱ６、第３トランジスタＱ３、第４トランジスタＱ４が上下に配置されている
。第５トランジスタＱ５の右上方には、第４集積回路ＩＣ４が配置され、第４集積回路Ｉ
Ｃ４の下方に第６コンデンサＣ６、第３コンデンサＣ３が上下に配置されている。第６コ
ンデンサＣ６、第３コンデンサＣ３の右側では、第７コンデンサＣ７、第４コンデンサＣ
４が上下に配置され、その右側に第５コンデンサＣ５が配置されている。第７コンデンサ
Ｃ７及び第５コンデンサＣ５の上方では、第２１コンデンサＣ２１及び第１１コンデンサ
Ｃ１１が上下に配置されている。
【手続補正２１】
【補正対象書類名】明細書
【補正対象項目名】０１６６
【補正方法】変更
【補正の内容】
【０１６６】
第２１コンデンサＣ２１及び第１１コンデンサＣ１１の右側には、第３集積回路ＩＣ３
が設けられており、第３集積回路ＩＣ３の右側には、第２０コンデンサＣ２０及び第１２
コンデンサＣ１２〜第１６コンデンサＣ１６が左から順に並んで配置されている。第３集
積回路ＩＣ３、第２０コンデンサＣ２０、及び第１２コンデンサＣ１２の下方には、第１
集積回路ＩＣ１が配置されている。第１集積回路ＩＣ１の下端辺は、基材１６Ａの下端辺
に面して配置されており、第１集積回路ＩＣ１の下側において、第１集積回路ＩＣ１が設
けられた位置よりも基材１６Ａの外縁側（下側）には、第１集積回路ＩＣ１以外の電子部
品は配置されていない。
【手続補正２２】
【補正対象書類名】明細書
【補正対象項目名】０１６７
【補正方法】変更
【補正の内容】
【０１６７】
第１集積回路ＩＣ１の右側であって、第１３コンデンサＣ１３〜第１６コンデンサＣ１
６の直下には、第２集積回路ＩＣ２が配置されている。第２集積回路ＩＣ２の直下には、
第８コンデンサＣ８、第９コンデンサＣ９、及び第１９コンデンサＣ１９が左から順に並
んで配置されている。第１集積回路ＩＣ１の右側であって、第８コンデンサＣ８の左下側
に第１７コンデンサＣ１７が配置され、第９コンデンサＣ９の左下側であって第１７コン
デンサＣ１７の右側に第１８コンデンサＣ１８が配置されている。第１８コンデンサＣ１
８の右側には、第２５コンデンサＣ２５が配置されている。
【手続補正２３】
【補正対象書類名】明細書
【補正対象項目名】０１７０
【補正方法】変更
【補正の内容】
【０１７０】
第１ヒューズＦ１及び第２ヒューズＦ２の右側では、第５出力端子ＣＮ５、第３出力端
子ＣＮ３、及び第６出力端子ＣＮ６が上下に配置されている。第５出力端子ＣＮ５、第３
出力端子ＣＮ３、及び第６出力端子ＣＮ６の右側では、第４出力端子ＣＮ４及び第２出力
端子ＣＮ２が上下に配置されている。
【手続補正２４】
【補正対象書類名】明細書
【補正対象項目名】０１７１
【補正方法】変更
【補正の内容】
【０１７１】
複数の電子部品が基材１６Ａに搭載された電源基板１６には、入力領域Ｘ１、整流領域
Ｘ２、変圧領域Ｘ３、及び出力領域Ｘ４がある。入力領域Ｘ１には、電源入力部１６０８
の入力端子ＣＮ１が設けられている。整流領域Ｘ２には、第１全波整流回路１６０９１と
なる第６集積回路ＩＣ６及び第２全波整流回路１６０９２となる第１ショットキーバリア
ダイオードＳＤ１が設けられている。また、整流領域Ｘ２は、第１整流領域Ｘ２１と第２
整流領域Ｘ２２とを備えており、第１全波整流回路１６０９１となる第６集積回路ＩＣ６
は第２整流領域Ｘ２２に設けられており、第２全波整流回路１６０９２となる第１ショッ
トキーバリアダイオードＳＤ１は第１整流領域Ｘ２１に設けられている。
【手続補正２５】
【補正対象書類名】明細書
【補正対象項目名】０１７２
【補正方法】変更
【補正の内容】
【０１７２】
変圧領域Ｘ３には、第１可変電源回路１６１０１となる第１集積回路ＩＣ１、第２可変
電源回路１６１０２となる第２集積回路ＩＣ２、第３可変電源回路１６１０３となる第３
集積回路ＩＣ３、及び第４可変電源回路１６１０４となる第４集積回路ＩＣ４が含まれて
いる。出力領域Ｘ４には、電源出力部１６１３となる第２出力端子ＣＮ２〜第６出力端子
ＣＮ６が設けられている。また、変圧領域Ｘ３は、第１変圧領域Ｘ３１と第２変圧領域Ｘ
３２とを備えており、第２変圧領域Ｘ３２には第１可変電源回路１６１０１となる第１集
積回路ＩＣ１、第２可変電源回路１６１０２となる第２集積回路ＩＣ２が配置され、第１
変圧領域Ｘ３１には第３可変電源回路１６１０３となる第３集積回路ＩＣ３及び第４可変
電源回路１６１０４となる第４集積回路ＩＣ４が配置されている。また、第１整流領域Ｘ
２１及び第１変圧領域Ｘ３１と、第２整流領域Ｘ２２及び第２変圧領域Ｘ３２とは、並列
に配置されている。さらに、第２変圧領域Ｘ３２では、第１可変電源回路１６１０１（第
１集積回路ＩＣ１）と第２可変電源回路１６１０２（第２集積回路ＩＣ２）が並列に配置
され、第１変圧領域Ｘ３１では、第３可変電源回路１６１０３（第３集積回路ＩＣ３）と
第４可変電源回路１６１０４（第４集積回路ＩＣ４）が並列状に配置されている。
【手続補正２６】
【補正対象書類名】明細書
【補正対象項目名】０１７３
【補正方法】変更
【補正の内容】
【０１７３】
入力領域Ｘ１は、基材１６Ａの左端上部に形成されている。また、出力領域Ｘ４は、基
材１６Ａの右端部に形成されている。このため、入力領域Ｘ１と出力領域Ｘ４は、横長の
基材１６Ａにおける両端部にそれぞれ形成されている。整流領域Ｘ２と変圧領域Ｘ３とは
、入力領域Ｘ１と出力領域Ｘ４との間に形成されている。
【手続補正２７】
【補正対象書類名】明細書
【補正対象項目名】０１７５
【補正方法】変更
【補正の内容】
【０１７５】
また、基材１６Ａの表面及び裏面に形成された配線パターンの一部は共通とされている
。図１１（Ａ）は、基材の裏面側に形成された配線パターンの一部を示す図、（Ｂ）は、
基材の表面側に形成された配線パターンの一部を示す図である。図１１（Ａ）に示すよう
に、基材１６Ａの裏面には、第１裏配線パターンＰＲ１〜第６裏配線パターンＰＲ６が形
成されている。また、図１１（Ｂ）に示すように、基材１６Ａの表面には、第１表配線パ
ターンＰＦ１〜第７表配線パターンＰＦ７が形成されている。第１表配線パターンＰＦ１
及び第２表配線パターンＰＦ２には、入力端子ＣＮ１、電源スイッチＳＷ１等が搭載され
ている。第３表配線パターンＰＦ３には、ヒューズＦ４、サーミスタＴＨ１、リレーＲＬ
１、ツェナダイオードＶＲＤ１、第１コンデンサＣ１等が搭載されている。第４表配線パ
ターンＰＦ４には、サーミスタＴＨ１、リレーＲＬ１等が搭載されている。第５表配線パ
ターンＰＦ５には、電源スイッチＳＷ１等が搭載されている。第６表配線パターンＰＦ６
には、電源スイッチＳＷ１、ヒューズＦ４等が搭載されている。第７表配線パターンＰＦ
７には、ツェナダイオードＶＲＤ１、第１コンデンサＣ１等が搭載されている。これらの
第１裏配線パターンＰＲ１〜第６裏配線パターンＰＲ６及び第１表配線パターンＰＦ１〜
第７表配線パターンＰＦ７のうち、第１裏配線パターンＰＲ１〜第４裏配線パターンＰＲ
４と、第１表配線パターンＰＦ１〜第４表配線パターンＰＦ４は、それぞれ互いに同一に
形状をなしている。
【手続補正２８】
【補正対象書類名】明細書
【補正対象項目名】０１９１
【補正方法】変更
【補正の内容】
【０１９１】
電断検知部１６１２は、停電などによって電断が生じた場合にその電断を検知する。電
断を検知したときには、各コンデンサに帯電した電力等を利用して、遊技状態のバックア
ップ等を実行するまでの電圧を供給する。このようなバックアップのための電圧供給を行
うことにより、電断が生じた場合における不具合を軽減することができる。
【手続補正２９】
【補正対象書類名】明細書
【補正対象項目名】０１９４
【補正方法】変更
【補正の内容】
【０１９４】
また、第１集積回路ＩＣ１及び第２集積回路ＩＣ２が設けられた第２変圧領域Ｘ３２及
び第３集積回路ＩＣ３及び第４集積回路ＩＣ４が設けられた第１変圧領域Ｘ３１は、整流
領域Ｘ２と出力領域Ｘ４の間に配置されている。このため、第１集積回路ＩＣ１〜第４集
積回路ＩＣ４の配置位置を広げすぎないようにできるので、電源基板１６のサイズをコン
パクトにすることができる。また、第１集積回路ＩＣ１が設けられた位置よりも電源基板
１６における基材１６Ａの下端辺側には、電子部品が配置されていない。このため、第１
集積回路ＩＣ１が他の電子部品からの熱を吸収しにくく、外気等に触れやすくなるので、
放熱が効率良く行われる。
【手続補正３０】
【補正対象書類名】明細書
【補正対象項目名】０１９５
【補正方法】変更
【補正の内容】
【０１９５】
また、第１整流領域Ｘ２１及び第１変圧領域Ｘ３１と第２整流領域Ｘ２２及び第２変圧
領域Ｘ３２とが並列に配置されている。さらに、第２変圧領域Ｘ３２では第１可変電源回
路１６１０１（第１集積回路ＩＣ１）と第２可変電源回路１６１０２（第２集積回路ＩＣ
２）、第１変圧領域Ｘ３１では第３可変電源回路１６１０３（第３集積回路ＩＣ３）と第
４可変電源回路１６１０４（第４集積回路ＩＣ４）が並列状に配置されている。このため
、第１全波整流回路１６０９１及び第１可変電源回路１６１０１と第２可変電源回路１６
１０２、第２全波整流回路１６０９２及び第３可変電源回路１６１０３と第４可変電源回
路１６１０４は並列して配置されている。したがって、これらの回路が広がりすぎないよ
うにできるので、電源基板１６のサイズをコンパクトにすることができる。
【手続補正３１】
【補正対象書類名】明細書
【補正対象項目名】０２００
【補正方法】変更
【補正の内容】
【０２００】
整流領域Ｘ２と変圧領域Ｘ３とが並列に配置される場合、整流領域Ｘ２内及び変圧領域
Ｘ３内では、複数の整流回路や変圧回路が並設される。このとき、縦方向に並ぶ整流回路
と変圧回路の大きさについて、均衡を図るようにしてもよい。ここでの均衡とは、両者の
大きさが一定となることであり、例えば、整流回路が大きい場合には、小さい変圧回路を
配置するようにすればよい。また、複数の整流回路の大きさが異なる場合、入力領域側か
ら出力領域側に移行するにしたがって、配置される整流回路の大きさが徐々に大きくなっ
たり、小さくなったりするようにしてもよい。整流回路の大きさが入力領域側から出力領
域側に移行するにしたがって徐々に大きくなったり、小さくなったりする場合、変圧回路
の大きさは、逆に入力領域側から出力領域側に移行するにしたがって徐々に小さくなった
り、大きくなったりするようにすればよい。このように、縦方向に並ぶ整流回路と変圧回
路の大きさについて、均衡を図ることにより、整流回路や変圧回路が広がりすぎないよう
にできるので、電源基板１６のサイズをコンパクトにすることができる。
【手続補正３２】
【補正対象書類名】明細書
【補正対象項目名】０２１４
【補正方法】変更
【補正の内容】
【０２１４】
前面扉１ｂの内側には、図１５に示すように、所定のキー操作により後述するエラー状
態及び後述する打止状態を解除するためのリセット操作を検出するリセットスイッチ２２
３（図１７参照）、後述する設定値の変更中や設定値の確認中にその時点の設定値が表示
される設定値表示器２２４、所定の契機に打止状態（リセット操作がなされるまでゲーム
の進行が規制される状態）に制御する打止機能の有効／無効を選択するための打止スイッ
チ２３６ａ、所定の契機に自動精算処理（クレジットとして記憶されているメダルを遊技
者の操作によらず精算（返却）する処理）に制御する自動精算機能の有効／無効を選択す
るための自動精算スイッチ２３６ｂ、メダル投入部２０４から投入されたメダルの流路を
、筐体１ａ内部に設けられた後述のホッパータンク２３４ａ側またはメダル払出口２０９
側のいずれか一方に選択的に切り替えるための流路切替ソレノイド２３０（図１７参照）
、メダル投入部２０４から投入され、ホッパータンク２３４ａ側に流下したメダルを検出
する投入メダルセンサ２３１（図１７参照）を有するメダルセレクタ２２９、前面扉１ｂ
の開放状態を検出するドア開放検出スイッチ２２５（図１７参照）が設けられている。
【手続補正３３】
【補正対象書類名】明細書
【補正対象項目名】０２１８
【補正方法】変更
【補正の内容】
【０２１８】
電源ボックス３００の前面には、図１６に示すように、設定変更状態または設定確認状
態に切り替えるための設定キースイッチ２３７、通常時においてはエラー状態や打止状態
を解除するためのリセットスイッチとして機能し、設定変更状態においては後述する内部
抽選の当選確率（出玉率）の設定値を変更するための設定スイッチとして機能するリセッ
ト／設定スイッチ２３８、電源をｏｎ／ｏｆｆする際に操作される電源スイッチ２３９が
設けられている。図１６に示すように、電源スイッチ２３９は、スロットマシン２０１の
前面に向くように配置されている。
【手続補正３４】
【補正対象書類名】明細書
【補正対象項目名】０３４８
【補正方法】変更
【補正の内容】
【０３４８】
図２０〜図２２に、第２実施形態に係るスロットマシン２０１の電源基板３０１に備え
られた電源部３６００の詳細構成を示す。図２０に示すように、電源入力部３６０８は、
第１入力端子ＣＮ５１、電源スイッチＳＷ５１（電源スイッチ２３９）、第１ヒューズＦ
５１、第１ツェナダイオード（サージアブソーバ）ＶＲＤ５１、第１コンデンサＣ５１、
第１サーミスタＴＨ５１、第２サーミスタＴＨ５２、コモンモードチョークコイルＣＬ５
１、第２コンデンサＣ５２を備えている。また、整流部３６０９の全波整流回路３６０９
１は、ダイオードＤａ，Ｄｂ，Ｄｃ，Ｄｄを有する第１ショットキーバリアダイオードＳ
Ｄ５１を有して構成されている。
【手続補正３５】
【補正対象書類名】明細書
【補正対象項目名】０３４９
【補正方法】変更
【補正の内容】
【０３４９】
第１入力端子ＣＮ５１は、第１スロットＣＮ５１１及び第２スロットＣＮ５１２を備え
ており、第１スロットＣＮ５１１と第２スロットＣＮ５１２には、図１９に示す交流電源
ＡＣが接続される。
【手続補正３６】
【補正対象書類名】明細書
【補正対象項目名】０３５０
【補正方法】変更
【補正の内容】
【０３５０】
電源スイッチＳＷ５１は、スイッチＳ５１とスイッチＳ５２から構成され、スイッチＳ
５１の一端には第１スロットＣＮ５１１が接続され、スイッチＳ５２の一端には第２スロ
ットＣＮ５１２が接続されている。スイッチＳ５２の他端は、コモンモードチョークコイ
ルＣＬ５１の第２コイルＬ５２の一端に接続され、スイッチＳ５１の他端は第１ヒューズ
Ｆ５１の一端に接続されている。第１ヒューズＦ５１の他端は第１サーミスタＴＨ５１を
介してコモンモードチョークコイルＣＬ５１の第１コイルＬ５１の一端に接続されている
。スイッチＳ５１の他端と第１ヒューズＦ５１の他端には、第１ツェナダイオードＶＲＤ
５１と第１コンデンサＣ５１とが並列接続されている。第１サーミスタＴＨ５１の両端に
は、第２サーミスタＴＨ５２が並列接続されている。
【手続補正３７】
【補正対象書類名】明細書
【補正対象項目名】０３５１
【補正方法】変更
【補正の内容】
【０３５１】
コモンモードチョークコイルＣＬ５１の第１コイルＬ５１の他端には、第１ショットキ
ーバリアダイオードＳＤ５１のダイオードＤｂとＤｃとの間に接続され、コモンモードチ
ョークコイルＣＬ５１の第２コイルＬ５２の他端には、第１ショットキーバリアダイオー
ドＳＤ５１のダイオードＤａとＤｄとの間に接続されている。コモンモードチョークコイ
ルＣＬ５１の第１コイルＬ５１の他端と第２コイルＬ５２の他端には、第２コンデンサＣ
５２が並列接続されている。第１ショットキーバリアダイオードＳＤ５１のダイオードＤ
ａとＤｂと間は、第１出力ノードＮｏ５１に接続され、第１ショットキーバリアダイオー
ドＳＤ５１のダイオードＤｃとＤｄと間は、グランドに接続されている。
【手続補正３８】
【補正対象書類名】明細書
【補正対象項目名】０３５２
【補正方法】変更
【補正の内容】
【０３５２】
また、電源部３６００は、図２０に示すように、「ＬＥＶＫＥＹ１」端子、「ＬＥＶＫ
ＥＹ０」端子、及び「ＬＥＶＳＷ」を備えている。「ＬＥＶＫＥＹ１」端子には、第７抵
抗Ｒ５７の一端が接続され、第７抵抗Ｒ５７の他端は「ＬＥＶＫＥＹ０」端子に接続され
ている。第７抵抗Ｒ５７の他端と「ＬＥＶＫＥＹ０」端子の間の配線には、第５コンデン
サＣ５５の一端が接続されており、第５コンデンサＣ５５の他端はグランドに接続されて
いる。「ＬＥＶＳＷ」に第８抵抗Ｒ５８及び第６コンデンサＣ５６の一端が接続されてい
る。第８抵抗Ｒ５８の他端は、第２スイッチＳＷ５３を介して第６コンデンサＣ５６の他
端に接続されている。また、第６コンデンサＣ５６の他端はグランドに接続されている。
【手続補正３９】
【補正対象書類名】明細書
【補正対象項目名】０３６６
【補正方法】変更
【補正の内容】
【０３６６】
第１３入力ノードＮｉ６３と第４集積回路ＩＣ５４の間の配線には、第１６コンデンサ
Ｃ６６、第１７コンデンサＣ６７、第２５コンデンサＣ７５の一端が接続されている。第
１６コンデンサＣ６６の他端は、第４集積回路ＩＣ５４の端子３とグランドの間の配線に
接続され、さらに、第５ツェナダイオードＶＲＤ５５の一端に接続されており、第５ツェ
ナダイオードＶＲＤ５５の他端は、第２２出力ノードＮｏ７２に接続されている。第１７
コンデンサＣ６７の他端は、第１６コンデンサＣ６６と第５ツェナダイオードＶＲＤ５５
の間の配線に接続され、第２５コンデンサＣ７５の他端は、第４集積回路ＩＣ５４の端子
３と、第１７コンデンサＣ６７と第５ツェナダイオードＶＲＤ５５の間の配線とを繋ぐ配
線に接続されている。
【手続補正４０】
【補正対象書類名】明細書
【補正対象項目名】０３７３
【補正方法】変更
【補正の内容】
【０３７３】
また、電源部３６００は、図２２に示すように、「ＯＦＳ１」端子、「ＯＦＳ２」端子
、「ＯＦＳ」端子、「ＨＯＰＰＥＲ（＋）」端子及び「ＨＯＰＰＥＲ（−）」を備えてい
る。さらに、電源部３６００は、第６集積回路ＩＣ５６〜第８集積回路ＩＣ５８、第１ト
ランジスタＱ５１及び第２トランジスタＱ５２を備えている。これらの第６集積回路ＩＣ
５６〜第８集積回路ＩＣ５８は、いずれも端子１〜端子４の４つの端子を備え、スイッチ
ング素子として機能している。
【手続補正４１】
【補正対象書類名】明細書
【補正対象項目名】０３７５
【補正方法】変更
【補正の内容】
【０３７５】
第６集積回路ＩＣ５６は、第６集積回路ＩＣ５６の端子１には、第１１抵抗Ｒ６１の一
端が接続されている。端子３はグランドに接続されており、端子４は、「ＯＦＳ」端子に
接続されている。第１１抵抗Ｒ６１の他端は、第７集積回路ＩＣ５７の端子１に接続され
ている。第７集積回路ＩＣ５７の端子２は、第８集積回路ＩＣ５８の端子１に接続され、
端子３は、第８集積回路ＩＣ５８と「ＨＯＰＰＥＲ（−）」端子の間に接続され、端子４
は、第１６抵抗Ｒ６６の一端に接続されている。
【手続補正４２】
【補正対象書類名】明細書
【補正対象項目名】０３７７
【補正方法】変更
【補正の内容】
【０３７７】
第８集積回路ＩＣ５８の端子２には、「ＨＯＰＰＥＲＣ」端子が接続されており、端子
３は、グランド及び「ＨＯＰＰＥＲ（−）」端子に接続されている。第８集積回路ＩＣ５
８の端子４は、第１２抵抗Ｒ６２及び第１３抵抗Ｒ６３の一端が接続されている。第１２
抵抗Ｒ６２の他端は、第５ツェナダイオードＶＲＤ５５と第２２出力ノードＮｏ７２の間
の配線に接続されており、第１３抵抗Ｒ６３の他端は、第２トランジスタＱ５２の端子Ｇ
に接続されている。
【手続補正４３】
【補正対象書類名】明細書
【補正対象項目名】０３７８
【補正方法】変更
【補正の内容】
【０３７８】
第１３抵抗Ｒ６３と第２トランジスタＱ５２の端子Ｇの間の配線には、第１４抵抗Ｒ６
４の一端が接続されており、第１４抵抗Ｒ６４の他端は、第７集積回路ＩＣ５７の端子３
と「ＨＯＰＰＥＲ（−）」端子の間の配線に接続されている。第２トランジスタＱ５２の
端子Ｓは、第１３抵抗Ｒ６３と第２トランジスタＱ５２の間の配線における第１４抵抗Ｒ
６４の一端との接続部と「ＨＯＰＰＥＲ（−）」端子の間の配線に接続されている。第１
３抵抗Ｒ６３「ＨＯＰＰＥＲ（−）」端子の間における第２トランジスタＱ５２の接続部
と「ＨＯＰＰＥＲ（−）」端子の間には、第７ツェナダイオードＶＲＤ５７の一端が接続
されており、第７ツェナダイオードＶＲＤ５７の他端は、「ＨＯＰＰＥＲ（＋）」端子に
接続されている。
【手続補正４４】
【補正対象書類名】明細書
【補正対象項目名】０３８２
【補正方法】変更
【補正の内容】
【０３８２】
第９スロット及び第１０スロットには、図２２に示す第２３出力ノードＮｏ７３が接続
されている。第９スロット及び第１０スロットには、第５可変電源回路３６１０５の第５
集積回路ＩＣ５５から直流５Ｖの出力電圧が供給される。第１３スロット及び第１４スロ
ットには、図２２に示す第２２出力ノードＮｏ７２が接続されている。第１３スロット及
び第１４スロットには、第４可変電源回路３６１０４の第４集積回路ＩＣ５４から直流１
２Ｖの出力電圧が供給される。第１７スロットには、図２１に示す第１４出力ノードＮｏ
６４が接続されている。第１７スロットには、第１ショットキーバリアダイオードＳＤ５
１から交流２４Ｖの平滑化された出力電圧が供給される。
【手続補正４５】
【補正対象書類名】明細書
【補正対象項目名】０３８３
【補正方法】変更
【補正の内容】
【０３８３】
第１８スロットには、図２２に示す第２１出力ノードＮｏ７１が接続されている。第１
８スロットには、第３可変電源回路３６１０３の第３集積回路ＩＣ５３から直流２４Ｖの
出力電圧が供給される。第２１スロット、第２２スロットには、図２１に示す第１５出力
ノードＮｏ６５が接続されている。第２１スロット、第２２スロットには、第１ショット
キーバリアダイオードＳＤ５１から交流２４Ｖの平滑化された出力電圧が供給される。
【手続補正４６】
【補正対象書類名】明細書
【補正対象項目名】０３８６
【補正方法】変更
【補正の内容】
【０３８６】
第３出力端子ＣＮ５３の第３スロット、第７スロットは、グランドに接続されている。
第１スロットには、ホッパーモータ２３４ｂが接続されている。第１スロットは、図２２
に示す「ＨＯＰＰＥＲ（＋）」端子からホッパーモータ２３４ｂを加速させる出力電圧を
ホッパーモータ２３４ｂに供給する。第５スロットには、ホッパーモータ２３４ｂが接続
されている。第５スロットは、図２２に示す「ＨＯＰＰＥＲ（−）」端子からホッパーモ
ータ２３４ｂを減速させる出力電圧をホッパーモータ２３４ｂに供給する。
【手続補正４７】
【補正対象書類名】明細書
【補正対象項目名】０３９０
【補正方法】変更
【補正の内容】
【０３９０】
第５入力端子ＣＮ５５の右方位置には、第７抵抗Ｒ５７が配置され、第７抵抗Ｒ５７の
上方に第５コンデンサＣ５５が配置されている。第７抵抗Ｒ５７の下方であって、電源ス
イッチＳＷ５１の上方には、上から順に第２０コンデンサＣ７０、第２ツェナダイオード
ＶＲＤ５２、第４ツェナダイオードＶＲＤ５４、及び第１９コンデンサＣ６９が配置され
ている。これらの側方には、第３コイル素子ＳＬ５３及び第２コイル素子ＳＬ５２が上下
に配置されており、その右方に第１ヒートシンクＨＳ１が設けられている。第３コイル素
子ＳＬ５３及び第１ヒートシンクＨＳ１の上方には、第２出力端子ＣＮ５２が配置されて
いる。第１ヒートシンクＨＳ１の右側面には、上から順に第４ショットキーバリアダイオ
ードＳＤ５４、第２集積回路ＩＣ５２、第３ショットキーバリアダイオードＳＤ５３、及
び第１集積回路ＩＣ５１がそれぞれネジＨＢ７，ＨＢ２，ＨＢ６，ＨＢ１によって固定さ
れている。このため、第１集積回路ＩＣ５１及び第２集積回路ＩＣ５２は、電源基板３０
１の基材３０１Ａに対して、立てて搭載されている。ここでの「立てて搭載されている」
とは、第１集積回路ＩＣ５１及び第２集積回路ＩＣ５２が、基材３０１Ａの表面に対して
、交差する方向、さらには、直交する方向を向いて搭載されていることを意味している。
第２集積回路ＩＣ５２の下方には、第６ショットキーバリアダイオードＳＤ５６が配置さ
れ、第１集積回路ＩＣ５１の下方には、第５ショットキーバリアダイオードＳＤ５５が配
置されている。
【手続補正４８】
【補正対象書類名】明細書
【補正対象項目名】０３９６
【補正方法】変更
【補正の内容】
【０３９６】
第２トランジスタＱ５２のさらに右側には、第３出力端子ＣＮ５３が配置されている。
第３出力端子ＣＮ５３は、その上端辺が基材３０１Ａの上端辺の近傍に配置されている。
第３出力端子ＣＮ５３の下方であって、第２ヒートシンクＨＳ２の上端部右側には、第１
７抵抗Ｒ６７及び第７ツェナダイオードＶＲＤ５７が配置されている。また、第７ツェナ
ダイオードＶＲＤ５７の下方位置には、第２ヒートシンクＨＳ２に右側に設けられた第３
ヒートシンクＨＳ３の右側面に固定された第１トランジスタＱ５１、第９ショットキーバ
リアダイオードＳＤ５９、及び第４集積回路ＩＣ５４が上から順に配置されている。また
、第１トランジスタＱ５１の右側に第１５抵抗Ｒ６５が配置されている。第４集積回路Ｉ
Ｃ５４は、電源基板３０１の基材３０１Ａに対して、立てて搭載されている。
【手続補正４９】
【補正対象書類名】明細書
【補正対象項目名】０４０２
【補正方法】変更
【補正の内容】
【０４０２】
第４集積回路ＩＣ５４及び第２５コンデンサＣ７５の下方には、第３集積回路ＩＣ５３
が配置されている。第３集積回路ＩＣ５３の左端部下方には、第１４コンデンサＣ６４が
配置され、第１４コンデンサＣ６４の右方であって、第３集積回路ＩＣ５３の右端部下方
には、第１５コンデンサＣ６５が配置されている。
【手続補正５０】
【補正対象書類名】明細書
【補正対象項目名】０４０３
【補正方法】変更
【補正の内容】
【０４０３】
第３集積回路ＩＣ５３の上部右方であって第１７コンデンサＣ６７の下方には、第６ツ
ェナダイオードＶＲＤ５６が配置されており、第６ツェナダイオードＶＲＤ５６の下方で
あって第３集積回路ＩＣ５３の右方には第２３コンデンサＣ７３が配置されている。第２
３コンデンサＣ７３右下方には、第１入力端子ＣＮ５１が配置されている。第１入力端子
ＣＮ５１の後端辺は、基材３０１Ａの後端辺の近傍に配置されている。また、第１入力端
子ＣＮ５１が基材３０１Ａの後側に配置されていることから、図１６に示すように、電源
ボックス３００の背面側にコネクタ（第１入力端子）ＣＮ５１が配置される。第１入力端
子ＣＮ５１は、配線２０００を介して電源スイッチＳＷ１と接続されている。
【手続補正５１】
【補正対象書類名】明細書
【補正対象項目名】０４０４
【補正方法】変更
【補正の内容】
【０４０４】
複数の電子部品が基材３０１Ａに搭載された電源基板３０１には、入力領域Ｙ１、整流
領域Ｙ２、変圧領域Ｙ３（第１変圧領域Ｙ３１〜第４変圧領域Ｙ３４）、及び出力領域Ｙ
４がある。入力領域Ｙ１は、基材３０１Ａの後端辺の近傍に配置されている。入力領域Ｙ
１には、電源入力部３６０８の第１入力端子ＣＮ５１が設けられている。整流領域Ｙ２に
は、全波整流回路３６０９１となる第１ショットキーバリアダイオードＳＤ５１が設けら
れている。
【手続補正５２】
【補正対象書類名】明細書
【補正対象項目名】０４０５
【補正方法】変更
【補正の内容】
【０４０５】
変圧領域Ｙ３には、第１可変電源回路３６１０１となる第１集積回路ＩＣ５１、第２可
変電源回路３６１０２となる第２集積回路ＩＣ５２、第３可変電源回路３６１０３となる
第３集積回路ＩＣ５３、及び第４可変電源回路３６１０４となる第４集積回路ＩＣ５４が
設けられている。変圧領域Ｙ３には、第１集積回路ＩＣ５１が設けられた第１変圧領域Ｙ
３１、第２集積回路ＩＣ５２が設けられた第２変圧領域Ｙ３２、第３集積回路ＩＣ５３が
設けられた第３変圧領域Ｙ３３、及び第４集積回路ＩＣ５４が設けられた第４変圧領域Ｙ
３４が形成されている。出力領域Ｙ４には、電源出力部３６１３となる第２出力端子ＣＮ
５２が設けられている。
【手続補正５３】
【補正対象書類名】明細書
【補正対象項目名】０４０６
【補正方法】変更
【補正の内容】
【０４０６】
また、第１変圧領域Ｙ３１〜第４変圧領域Ｙ３４は、整流領域Ｙ２の周囲に配置されて
いる。具体的に、第１変圧領域Ｙ３１は整流領域Ｙ２の左側方に配置され、第２変圧領域
Ｙ３２は整流領域Ｙ２の左上方に配置されている。第３変圧領域Ｙ３３は整流領域Ｙ２の
右下方に配置され、第４変圧領域Ｙ３４は整流領域Ｙ２の右上方に配置されている。この
ように、第１変圧領域Ｙ３１〜第４変圧領域Ｙ３４は、整流領域Ｙ２を中心として四周方
向に配置され、整流領域Ｙ２から見て、１方向に１つの変圧領域が配置されている。この
ため、第１変圧領域Ｙ３１〜第４変圧領域Ｙ３４は、整流領域Ｙ２の周囲に略放射状に配
置されている。
【手続補正５４】
【補正対象書類名】明細書
【補正対象項目名】０４０９
【補正方法】変更
【補正の内容】
【０４０９】
第１変圧領域Ｙ３１、第２変圧領域Ｙ３２、及び第４変圧領域Ｙ３４には、それぞれ第
１集積回路ＩＣ５１、第２集積回路ＩＣ５２、及び第４集積回路ＩＣ５４が設けられてい
る。第１集積回路ＩＣ５１は、第１ヒートシンクＨＳ１の右側面に固定されて設けられて
いる。このため、第１集積回路ＩＣ５１は、第１変圧領域Ｙ３１において立てて搭載され
ている。第２集積回路ＩＣ５２は、第１ヒートシンクＨＳ１の右側面に固定されて設けら
れており、第２集積回路ＩＣ５２は、第２変圧領域Ｙ３２において立てて搭載されている
。第４集積回路ＩＣ５４は、第３ヒートシンクＨＳ３の右側面に固定されて設けられてお
り、第４集積回路ＩＣ５４は、第４変圧領域Ｙ３４において立てて搭載されている。整流
領域Ｙ２には、第１ショットキーバリアダイオードＳＤ５１が設けられている。第１ショ
ットキーバリアダイオードＳＤ５１は、第２ヒートシンクＨＳ２の左側面に固定されて設
けられており、第１ショットキーバリアダイオードＳＤ５１は整流領域Ｙ２において立て
て搭載されている。また、第１集積回路ＩＣ５１が設けられた第１変圧領域Ｙ３１は、第
１集積回路ＩＣ５１と同電圧を作成する第３集積回路ＩＣ５３が設けられた第３変圧領域
Ｙ３３よりも、生成された直流電流を出力する出力領域Ｙ４の近くに配置されている。
【手続補正５５】
【補正対象書類名】明細書
【補正対象項目名】０４２３
【補正方法】変更
【補正の内容】
【０４２３】
以上に説明した第２実施形態において、スロットマシン２０１における電源基板３０１
には、第１ショットキーバリアダイオードＳＤ１（全波整流回路３６０９１）が設けられ
た整流領域Ｙ２と、第１集積回路ＩＣ５１（第１可変電源回路３６１０１）〜第４集積回
路ＩＣ５４（第４可変電源回路３６１０４）が設けられた変圧領域Ｙ３がある。また、変
圧領域Ｙ３は、第１集積回路ＩＣ５１〜第４集積回路ＩＣ５４がそれぞれ設けられた第１
変圧領域Ｙ３１〜第４変圧領域Ｙ３４を備えている。第１変圧領域Ｙ３１〜第４変圧領域
Ｙ３４は、整流領域Ｙ２の周囲に配置されている。このため、第１変圧領域Ｙ３１〜第４
変圧領域Ｙ３４の放熱が第１集積回路ＩＣ５１の近傍において局所的に集中することを抑
制できる。したがって、放熱が効率良く行われる。
【手続補正５６】
【補正対象書類名】図面
【補正対象項目名】図７
【補正方法】変更
【補正の内容】
【図７】
2018175747.tif 000001
【手続補正５７】
【補正対象書類名】図面
【補正対象項目名】図１０
【補正方法】変更
【補正の内容】
【図１０】
2018175747.tif 000002
【手続補正５８】
【補正対象書類名】図面
【補正対象項目名】図１４
【補正方法】変更
【補正の内容】
【図１４】
2018175747.tif 000003
【手続補正５９】
【補正対象書類名】図面
【補正対象項目名】図１５
【補正方法】変更
【補正の内容】
【図１５】
2018175747.tif 000004
【手続補正６０】
【補正対象書類名】図面
【補正対象項目名】図２０
【補正方法】変更
【補正の内容】
【図２０】
2018175747.tif 000005
【手続補正６１】
【補正対象書類名】図面
【補正対象項目名】図２１
【補正方法】変更
【補正の内容】
【図２１】
2018175747.tif 000006
【手続補正６２】
【補正対象書類名】図面
【補正対象項目名】図２２
【補正方法】変更
【補正の内容】
【図２２】
2018175747.tif 000007
【手続補正６３】
【補正対象書類名】図面
【補正対象項目名】図２４
【補正方法】変更
【補正の内容】
【図２４】
2018175747.tif 000008